(57)【特許請求の範囲】
【請求項１】
被写体像を結像する対物ユニット、前記対物ユニットの結像位置に位置決めされた固体撮像素子及び前記固体撮像素子からの電気信号の処理を行い、処理した信号を伝送する、可撓性を有する保護チューブで覆われた撮像ケーブルを備えた基板を有して構成される撮像ユニットと、内視鏡の挿入部の先端に設けられ、前記撮像ユニットを装着する装着孔が形成された硬質の先端部本体とを有する内視鏡装置において、
前記対物ユニットが配設された装着孔の先端側に気密に接合された先端部光学部品と、
前記撮像ユニットとは別体であって、一端が前記固体撮像素子及び前記基板が配設された装着孔の基端側に気密に接合され、他端が前記撮像ケーブルに気密に接合された金属枠と、
を具備したことを特徴とする電子内視鏡。
【請求項２】
前記金属枠は、一端を先端部本体に形成された装着孔の基端側に気密に接合し、他端を前記保護チューブに固定した金属環に気密に接合したことを特徴とする請求項１に記載の電子内視鏡。
【請求項３】
前記金属枠はテーパ状の後細り構造であって、先端側の太径部分が前記先端部本体の基端面に気密に接合され、基端側の細径部分が前記金属環の外周面に気密に接合されることを特徴とする請求項２に記載の電子内視鏡。
【請求項４】
前記金属枠は、その一部に肉薄部分を設けたことを特徴とする請求項１又は請求項２に記載の電子内視鏡。
【請求項５】
前記金属環は、前記保護チューブを挟んで前記撮像ケーブルを構成する総合シールド線と気密に接合されることを特徴とする請求項２に記載の電子内視鏡。
【発明の詳細な説明】
【０００１】
【発明の属する技術分野】
本発明は被写体像を対物光学系で結像した画像を撮像する固体撮像素子を用いた電子内視鏡に関する。
【０００２】
【従来の技術】
医療用内視鏡の場合、使用した内視鏡を確実に滅菌処理することが感染症等を防止するために必要不可欠になる。洗浄液で消毒や滅菌をする場合は、消毒作業が煩雑であり、洗浄液の廃液処理に多大な費用が必要となる欠点がある。
【０００３】
そこで、最近では、煩雑な作業を伴わない高圧高温水蒸気滅菌（オートクレーブ等）が内視鏡機器、特に硬性鏡では主流になりつつある。
【０００４】
特に電子内視鏡においては、先端部に湿気などの水分が僅かにでも侵入すると、対物光学系に内側から曇りを生じさせたり、固体撮像素子や固体撮像素子からの信号を処理する電子部品を搭載した基板などを腐食させたり、短絡させたりする恐れが生じ、このような状態で得られる内視鏡画像は画質が著しく低下したものになってしまう。
【０００５】
そのため、対物光学系と固体撮像素子と基板により構成される撮像ユニットヘの水分の侵入を防ぎ、構成部材の劣化を防止するための手段が種々提案されている。しかし、撮像ユニットの修理・交換を考慮に入れた提案はほとんどなされていない。
【０００６】
【発明が解決しようとする課題】
例えば特開昭５９−１２９０５０号公報は、先端部本体と固体操像素子を固定した枠とをシール剤などによって気密に接着固定された構造をとることにより水分の侵入を防ぐことを可能にしている。このように耐性を向上させるためには接着剤や半田などで撮像ユニットを直接本体に組み付けてしまう構造になりがちである。
【０００７】
しかし、このような構造では、本体から撮像ユニットが取り出せないため、修理・交換が不可能であり、場合によっては撮像ユニットに問題のない修理を行う際にも新品の撮像ユニットを使用して修理を行わなければならなくなり、修理費のコストアップという問題も生じる。
【０００８】
また、例えば特開２０００−２０１８８４号公報は、対物光学系が取り付けられたレンズ枠にＣＣＤが取り付けられたＣＣＤ枠を気密に連結固定し、ＣＣＤおよび硬質基板と撮像ケーブルの接続部の周囲はＣＣＤ枠の外周面でその先端が気密的に連結した金属枠で覆い、この金属枠の後端側は撮像ケーブルの保護チューブをかしめて圧着固定する金属環の外周面において半田により気密的に固定する構造にしている。
【０００９】
この構造ではレンズ枠とＣＣＤ枠、ＣＣＤ枠と金属枠などを半田で接合するため、接合時にかなりの温度がレンズやＣＣＤにかかってしまい歪みや劣化が生じる。特にＣＣＤは熱に弱いため、なるべくレンズやＣＣＤから離れた場所での半田接合が必要である。
【００１０】
本発明は、上記事情に鑑みてなされたものであり、高圧高温水蒸気滅菌等を行う場合にも、撮像ユニットを気密に保たれた空間に保持でき、容易に撮像ユニットの修理・交換ができ、固体撮像素子やレンズヘの熱による影響も軽減することのできる電子内視鏡を提供することを目的としている。
【００１１】
【課題を解決するための手段】
本発明の電子内視鏡は、被写体像を結像する対物ユニット、前記対物ユニットの結像位置に位置決めされた固体撮像素子及び前記固体撮像素子からの電気信号の処理を行い、処理した信号を伝送する、可撓性を有する保護チューブで覆われた撮像ケーブルを備えた基板を有して構成される撮像ユニットと、内視鏡の挿入部の先端に設けられ、前記撮像ユニットを装着する装着孔が形成された硬質の先端部本体とを有する内視鏡装置であって、前記対物ユニットが配設された装着孔の先端側に気密に接合された先端部光学部品と、前記撮像ユニットとは別体であって、一端が前記固体撮像素子及び前記基板が配設された装着孔の基端側に気密に接合され、他端が前記撮像ケーブルに気密に接合された金属枠とを具備して構成される。
【００１２】
【発明の実施の形態】
以下、図面を参照しながら本発明の実施の形態について述べる。
【００１３】
第１の実施の形態：
図１ないし図１４は本発明の第１の実施の形態に係わり、図１は電子内視鏡の構成を示す構成図、図２は図１の電子内視鏡の先端部の構成を示す断面図、図３は図２の先端部光学部品の第１の変形例の構成を示す図、図４は図２の先端部光学部品の第２の変形例の構成を示す図、図５は図２の先端部光学部品の第３の変形例の構成を示す図、図６は図２の先端部光学部品の第４の変形例の構成を示す図、図７は図２の先端部光学部品の第５の変形例の構成を示す第１の図、図８は図２の先端部光学部品の第５の変形例の構成を示す第２の図、図９は図２の対物ユニットの第１の変形例の構成を示す図、図１０は図２の対物ユニットの第２の変形例の構成を示す図、図１１は図２の対物ユニットの第３の変形例の構成を示す図、図１２は図２の対物ユニットの第４の変形例の構成を示す図、図１３は図２の対物ユニットの第５の変形例の構成を示す図、図１４は図２の対物ユニットの第６の変形例の構成を示す図である。
【００１４】
図１に示すように、本実施の形態に用いる電子内視鏡１は、細長な挿入部２と、この挿入部２の手元側に連設され術者が把持して種々の操作を行う操作部３と、この操作部３から延設したユニバーサルコード４とを有している。
【００１５】
このユニバーサルコード４の他端には、コネクタ部５が設けられており、図示しない光源装置、ＣＣＵ（カメラコントロールユニット）に接続されるようになっている。
【００１６】
尚、光源装置には、ライトガイドコネクタ６が接続され、ＣＣＵにはカメラコネクタ７が接続されるようになっている。
【００１７】
前記挿入部２は、前記操作部３に連設された可撓性を有する可撓管１０と、前記可撓管の先端に連設された湾曲部９と、前記湾曲部９の先端に連設された先端部８とから構成されている。また、操作部３には、湾曲操作レバー１１と、鉗子等の処置具を挿入する処置具挿入口１２などが設けられている。
【００１８】
前記先端部８は、図２に示すように、金属製の先端部本体１３と、先端カバー１４と、前記先端部本体１３の先端側に設けられた装着孔１３ａの先端側から挿入され固定された先端部光学部品１５と、前記先端部本体に設けられた装着孔１３ｂの後端側から挿入され固定された撮像ユニット１６と、前記撮像ユニット１６から信号を送る可撓性を有する保護チューブ１８で覆われた撮像ケーブル１７と、前記保護チューブ１８の撮像ユニット側端部に圧着固定された金属環１９と、一端を前記先端部本体１３の後端面に他端を前記金属環１９の外側面にそれぞれ固定された金属枠２０とを備えている。
【００１９】
前記先端部本体１３は、金属製で、先端光学部品１５および撮像ユニット１６が装着できるように装着孔１３ａ、１３ｂ、１３ｃが形成されている。尚、先端側の前記先端光学部品１５との嵌合部には半田付け、ロー付けをよりし易くするため、金メッキ、ニッケルメッキ等のメタルコートを施してもよい。
【００２０】
前記先端カバー１４は、先端部８の保護以外に絶縁の役目も果たしており、材質は絶縁性、耐熱性および耐水性を有するプラスチックである。
【００２１】
前記先端部光学部品１５は、その外周面に半田付けやロー付けを可能とするための金メッキ、ニッケルメッキ等のメタルコート２１が施されている。このメタルコート２１を介して前記先端部本体と半田２２より気密接合されている。
【００２２】
尚、前記先端部光学部品１５の形状は、平板ガラスに限らず、凹凸部分をもつレンズ等でもよい。
【００２３】
前記撮像ユニット１６は、被写体を結像する対物ユニット２３と、前記対物ユニット２３に嵌合して固定された固体撮像素子固定枠２４にカバーレンズ２５およびガラスリッド２６を介して固定され対物ユニット２３の結像位置に位置決めされる固体撮像素子２７と、前記固体撮像素子２７からの電気信号の処理と撮像ケーブル１７に信号を伝送するための電子部品を搭載した基板２８とで構成され、前記先端部本体１３から容易に取り外せるよう図示しないネジ等で固定されている。
【００２４】
尚、前記撮像ユニット１６内の前記固体撮像素子２７および前記基板２８は、固体撮像素子固定枠２４と嵌合したシールド枠２９に覆われており、その内部は絶縁性の封止剤３０で充填され、前記基板２８や前記撮像ケーブル１７を固定している。
【００２５】
また、前記封止剤３０に透湿性の低い封止剤を用いることによりさらに水分の浸入がし難い構造になる。また、前記固体撮像素子固定枠２４から前記シールド枠２９、前記金属環１９の前側を覆っている熱収縮チューブ３１は、前記シールド枠２９内に充填した封止剤３０の流れ出しを防止していると共に、固体撮像素子や電子部品などへの水分の侵入を軽減する効果もある。
【００２６】
前記対物ユニット２３は、レンズ枠２３ａに先端側からレンズ２３ｂ、光線絞り２３ｃ、平板ガラス２３ｄ、レンズ２３ｅ、間隔環２３ｆ、フィルタ２３ｇ、間隔環２３ｈ、レンズ２３ｉの順番で配置し、先端のレンズ２３ｂと後端のレンズ２３ｉでレンズ枠２３ａに接着剤により全周接着４３されている。
【００２７】
尚、レンズ枠内には突起部があるためレンズ２３ｂ、光線絞り２３ｃ、平板ガラス２３ｄの３つ部材は先端側から、レンズ２３ｅ、間隔環２３ｆ、フィルタ２３ｇ、間隔環２３ｈ、レンズ２３ｉの５つの部材は後端側から挿入され組み付けられている。
【００２８】
前記撮像ケーブル１７は、前記撮像ユニット１６内の基板２８からの信号を伝送するためのものであり、挿入部２内を経て操作部３からユニバーサルケーブル４内を挿通されてコネクタ部５の側部に設けたカメラコネクタ７に接続される。
【００２９】
前記撮像ケーブル１７の構造は、中心側から芯線、絶縁被覆、シールド線、絶縁被覆を有する同軸線１７ａを複数本束ね、前記束ねられた同軸線１７ａは、さらに絶縁被覆、総合シールド線１７ｂ、絶縁被覆で構成されている。
【００３０】
前記保護チューブ１８は、前記撮像ケーブル１７を保護するためのもので可撓性を有する。その先端部付近には金属環１９が取り付けられている。
【００３１】
前記金属環１９は、撮像ユニット側端部で前記撮像ケーブル１７の総合シールド線１７ｃと気密性のある半田３２により全周に渡り接合されており、金属環１９と保護チューブ１８の間隙からの水分の侵入を防止している。また、金属環１９を保護チューブ１８にかしめて圧着固定することにより、軟性の保護チューブ１８に金属環１９が食い込み、さらに気密性が高まる。
【００３２】
前記金属枠２０は、テーパ状の後細り構造をしており、一端を前記先端部本体１３の後端面の装着孔１３ｃを塞ぐように、他端を前記金属環１９の外側面に沿うように形成されており、先端部本体１３と金属環１９とを気密性のある半田３３、３４によりそれぞれ全周に渡り接合されている。
【００３３】
尚、前記金属環１９を設けずに、先端部本体１３と撮像ケーブル１７の結合シールド１７ｃとを気密性のある半田により全周に渡り接合されていてもよい。
【００３４】
以上の構成により、前記撮像ユニット１６は、先端部本体１３と先端部光学部品１５と金属枠２０と金属環１９により気密が保たれた空間内に保持され、前記撮像ユニット１６内の部材への水分の侵入による劣化を防ぐことが可能になる。
【００３５】
また、前記撮像ユニット１６を修理・交換する際は前記金属枠２０の半田３３、３４をはずすか、金属枠２０を壊すことにより容易に前記撮像ユニット１６の取り出しが可能になる。
【００３６】
また、半田接合を行う場所が、前記金属環１９の外周面と前記先端本体１３の後端面であるため、対物ユニット２２や固体撮像素子２７から熱伝導的に離れた場所であるため、熱によるレンズや固体撮像素子への影響も軽減される。
【００３７】
また、先端部光学部品１５について、図３〜図８に示す構成をとることも可能である。以下に図を用いて説明する。
【００３８】
図３に示す先端部光学部品１５は、先端側上段外周１５ａの外径より後端側下段外周１５ｂの外径が小さい段構造のレンズである。このレンズの先端側上段外周１５ａのメタルコート２１を介して先端部本体１３の装着孔１３ａに半田２２により気密接合されている。先端側上段外周１５ａにのみメタルコート２１を施すことにより、フレアの発生源であるメタルコート２１の面積を減らすと共に、後端側下段側面１５ｂ、先端側上段底面１５ｃおよび後端側下段底面１５ｄに酸化クロムやセラミック等の低反射コート３５を施すことにより、不要光３６が遮断・吸収されフレアを軽減できる。
【００３９】
図４に示す先端部光学部品１５は、第１の光学部品３７の後端面を凹状に形成し、その凹部の内径と同径の第２の光学部品３８を嵌合する構造である。第１の光学部品３の外周にはメタルコート２１が施されており、その範囲は、第２の光学部品３８との嵌合長（Ａ）≧メタルコート長（Ｂ）の関係になっている。このメタルコート２１を介して先端部本体１３と半田２２により気密接合されている。また、第２の光学部品３８の外周には低反射コート３５が施されており、これにより不要光３６が遮られフレアを防止できる。尚、第１の光学部材３７と第２の光学部材３８とを黒色の接着剤を用いて嵌合し、低反射コートのかわりとしてもよい。
【００４０】
図５に示す先端部光学部品１５は、先端部光学部品１５の後端面を凹状に形成し、その凹部の内径と同外径をもつ対物ユニット２３のレンズ枠２３ａを嵌合する構造である。先端部光学部品１５の外周にはメタルコート２１が施されており、その範囲は、レンズ枠２３ａとの嵌合長（Ａ）≧メタルコート長（Ｂ）になっている。このメタルコート２１を介して先端部本体１３と半田２２により気密接合されている。このレンズ枠２３ａにより不要光３６が遮られフレアを防止できる。
【００４１】
図６に示す先端部光学部品１５は、先端側面取り面１５ｅにのみメタルコート２１を施してあるレンズである。このメタルコート２１を介して先端部本体１３と半田２２により気密接合されている。このためフレアの発生源であるメタルコート２１の面積も狭く、フレアの発生し難い構造である。また、側面には低反射コート３５が施されており、これにより不要光３６が吸収されフレアを軽減できる。
【００４２】
図７、図８に示す先端部光学部品１５は、外周面がテーパ状になっており、メタルコート２１が施されている。このメタルコート２１を介して先端部本体１３と半田２２により気密接合されている。このテーパ部３９の角度は、対物光学系により予測されるフレアを逃がすように適宜設定されている。これにより不要光３６が逃がされフレアを軽減できる。
【００４３】
尚、前記先端部光学部品１５の形状にあわせて、先端部本体１３にも同様にテーパ状に形成されている。また、光線絞り４０は、先端部光学部品１５の後端面に固定されている。
【００４４】
また、対物ユニット２３について、図９〜図１４に示す構成をとることも可能である。以下に図を用いて説明する。
【００４５】
図９に示す対物ユニット２３の先端は、レンズ２３ｂと前記レンズ２３ｂと略同外径の平板ガラス２３ｄが接合接着４２され、前記接着されたレンズはレンズ枠２３ａに挿入し、全周接着４３されている。これにより、水分が球欠面４１に到達するまでの経路が全て封止剤で塞がれるため水分の侵入が軽減され、レンズ曇りし難くなる。
【００４６】
図１０に示す対物ユニット２３の先端は、レンズ２３ｂと前記レンズ２３ｂより外形が小さく、前面に蒸着による光線絞り４４が形成されている平板ガラス２３ｄが芯を合わせて接合接着４２され、前記レンズ２３ｂの裏面から前記平板ガラス２３ｄの外周面にかけて全周に補強接着４５が施され、前記接着されたレンズはレンズ枠２３ａに挿入し、全周接着４３されている。これにより、水分が球欠面４１に到達するまでの経路が全て封止剤で塞がれるため水分の侵入が軽減され、レンズ曇りし難くなる。
【００４７】
図１１に示す対物ユニット２３の先端は、後端側が凹面になっているレンズ２３ｂと前記レンズ２３ｂの凹面の内径と略同径になるように形成された光線絞り２３ｃと平板ガラス２３ｄを前記レンズ２３ｂに嵌合・接合接着４２され、前記レンズ２３ｂの裏面から前記平板ガラス２３ｄの外周面にかけて全周に補強接着４５が施され、前記接着されたレンズはレンズ枠２３ａに挿入し、全周接着４３されている。これにより、水分が球欠面４１に到達するまでの経路が全て封止剤で塞がれるため水分の侵入が軽減され、レンズ曇りし難くなる。
【００４８】
図１２に示す対物ユニット２３の先端は、後端側を２段に形成し、その段差部４６外周面にメタコート２１が施されたレンズ２３ｂと、同様に先端側を２段に形成し、その段差部４６外周面にメタコート２１が施された平板ガラス２３ｄの間に光線絞り２３ｃが挟まれ、メタルコート２１を介して半田４７により気密接合され、前記接合されたレンズをレンズ枠２３ａに挿入し、全周接着４１されている。
【００４９】
尚、レンズ２３ｂと平板ガラス２３ｄの外周および段差部は略同径になっている。これにより、レンズ２３ｂと平板ガラス２３ｄで囲まれた空間は気密になるため水分の侵入によるレンズ曇りはなくなる。
【００５０】
図１３に示す対物ユニット２３の先端は、後端側平面部にメタルコート２１が施されたレンズ２３ｂと前記レンズ２３ｂより外径が小さく、外周面にメタルコート２１が施され、前面には蒸着による光線絞り４４が形成されている平板ガラス２３ｄをと芯を合わせた状態で両者のメタルコート２１を介して半田４７により気密接合され、前記接合されたレンズはレンズ枠２３ａに挿入し、全周接着４７されている。これにより、レンズ２３ｂと平板ガラス２３ｄで囲まれた空間は気密になるため水分の侵入によるレンズ曇りはなくなる。
【００５１】
図１４に示す対物ユニット２３の先端は、前側が小径部４８、後側が大径部４９、その間がテーパ状のテーパ部５０に形成され、前記テーパ部５０にメタルコート２１が施されたレンズ２３ｂにレンズ枠２３ａの一部を前記テーパ部５０に沿ってかしめられ、この部分を半田４７により気密接合されている。これにより、対物ユニットの先端からの水分の侵入がなくなり、レンズ曇りし難くなる。また、テーパ部５０にメタルコート
２１を施しているため、視野外からの入射光によるフレアに対して有利になる。
【００５２】
第２の実施の形態：
図１５は本発明の第２の実施の形態に係る電子内視鏡の先端部の構成を示す断面図である。
【００５３】
第２の実施の形態は、第１の実施の形態とほとんど同じであるので、異なる点のみ説明し、同一の構成には同じ符号をつけ説明は省略する。
【００５４】
図１５に示す第２の実施の形態は、撮像ユニット１６と金属枠２０の構造が第１の実施の形態と異なる。
【００５５】
すなわち、本実施の形態では、図１５に示すように、前記撮像ユニット１６は、被写体を結像する対物ユニット２３と、前記対物ユニットに嵌合して固定された固体操像素子固定枠２４にカバーレンズ２５およびプリズム５１を介して固定され、前記対物ユニット２３の結像位置に位置決めされる固体撮像素子２７と、前記固体撮像素子２７からの電気信号の処理と撮像ケーブル１７に信号を伝送するための電子部品を搭載した基板２８とで構成され、前記先端部本体１３から容易に取り外せるよう図示しないネジ等で固定されている。
【００５６】
前記金属枠２０は、前記撮像ユニット１６内のプリズム５１後部の空間を金属枠２０の一部を大きくすることで補完している。これは、一般的に、気密に密閉する際は密閉する空間内に水分が入らないように接合するが、撮像ユニット空間が小さい程、総水分量が少なくなり、前記撮像ユニット１６内の水分の浸入による劣化や対物ユニット２３のレンズ曇りに対し有利になる。尚、金属枠２０には、前記金属枠を一周するように肉薄部２０ａが形成されており、この部分で容易に壊せるようになっている。
【００５７】
このようにプリズムのある撮像ユニットなど、構造上、撮像ユニット自体で気密構造を取り難い撮像ユニットにおいても、先端部本体と先端部光学部品と金属枠と金属環と撮像ケーブルにより気密が保たれた空間内に保持され、撮像ユニット内への水分の侵入による部材の劣化を防ぐことが可能になる。その他の効果は第１の実施の形態と同様である。
【００５８】
このように上記各実施の形態によれば、撮像ユニットは気密に保たれた空間に保持され、撮像ユニット自体を特に気密構造に改良しなくても水分の侵入による劣化やレンズ曇りが防止でき、容易に撮像ユニットの修理・交換ができ、固体撮像素子やレンズヘの熱による影響も軽減できる。
【００５９】
【発明の効果】
以上説明したように本発明によれば、高圧高温水蒸気滅菌等を行う場合にも、撮像ユニットを気密に保たれた空間に保持でき、容易に撮像ユニットの修理・交換ができ、固体撮像素子やレンズヘの熱による影響も軽減することができるという効果がある。
【図面の簡単な説明】
【図１】本発明の第１の実施の形態に係る電子内視鏡の構成を示す構成図
【図２】図１の電子内視鏡の先端部の構成を示す断面図
【図３】図２の先端部光学部品の第１の変形例の構成を示す図
【図４】図２の先端部光学部品の第２の変形例の構成を示す図
【図５】図２の先端部光学部品の第３の変形例の構成を示す図
【図６】図２の先端部光学部品の第４の変形例の構成を示す図
【図７】図２の先端部光学部品の第５の変形例の構成を示す第１の図
【図８】図２の先端部光学部品の第５の変形例の構成を示す第２の図
【図９】図２の対物ユニットの第１の変形例の構成を示す図
【図１０】図２の対物ユニットの第２の変形例の構成を示す図
【図１１】図２の対物ユニットの第３の変形例の構成を示す図
【図１２】図２の対物ユニットの第４の変形例の構成を示す図
【図１３】図２の対物ユニットの第５の変形例の構成を示す図
【図１４】図２の対物ユニットの第６の変形例の構成を示す図
【図１５】本発明の第２の実施の形態に係る電子内視鏡の先端部の構成を示す断面図
【符号の説明】
１…電子内視鏡
２…挿入部
３…操作部
４…ユニバーサルコード
５…コネクタ部
６…ライトガイドコネクタ
７…カメラコネクタ
８…・先端部
９…湾曲部
１０…可挑管
１１…湾曲操作レバー
１２…処置具挿入口
１３…先端部本体
１３ａ…装着孔
１３ｂ…装着孔
１３ｃ…装着孔
１３ｅ…テーパ状の装着孔
１４…先端カバー
１５…先端部光学部品
１５ａ…先端側上段外周
１５ｂ…後端部下段外周
１５ｃ…先端側上段底面
１５ｄ…後端部下段底面
１５ｅ…先端側面取り面
１６…撮像ユニット
１７…撮像ケーブル
１７ａ…同軸線
１７ｂ…総合シールド線
１８・・・保護チューブ
１９…金属環
２０…金属枠
２０ａ…肉薄部
２１…メタルコート
２２…半田
２３…対物ユニット
２３ａ…レンズ枠
２３ｂ…レンズ
２３ｃ…光線絞り
２３ｄ…平行ガラス
２３ｅ…レンズ
２３ｆ…間隔環
２３ｇ…フィルタ
２３ｈ…間隔環
２３ｉ…レンズ
２４…固体撮像素子固定枠
２５…カバーレンズ
２６…ガラスリツド
２７…固体撮像素子
２８…基板
２９…シールド枠
３０…封止剤
３１…熱収縮チューブ
３２…半田
３３…半田
３４…半田
３５…低反射コート
３６…不要光
３７…第１の光学部品
３８…第２の光学部品
３９…テーパ部
４０…光線絞り
４１…球欠面
４２…接合接着
４３…全周接着
４４…蒸着による光線絞り
４５…補強接着
４６…段差部
４７・・・半田
４８…小径部
４０…大径部
５０…テーパ部
５１…プリズム
【図１】
0003981263.tif 000002
【図２】
0003981263.tif 000003
【図３】
0003981263.tif 000004
【図４】
0003981263.tif 000005
【図５】
0003981263.tif 000006
【図６】
0003981263.tif 000007
【図７】
0003981263.tif 000008
【図８】
0003981263.tif 000009
【図９】
0003981263.tif 000010
【図１０】
0003981263.tif 000011
【図１１】
0003981263.tif 000012
【図１２】
0003981263.tif 000013
【図１３】
0003981263.tif 000014
【図１４】
0003981263.tif 000015
【図１５】
0003981263.tif 000016